(57)【要約】【課題】発生する蒸気が出湯スイッチを操作する手に当たりにくくして、出湯時の蒸気による不快感を解消させた電気湯沸し器の提供を目的とする。【解決手段】吸気ファン１１により吸気口９から吸い込んだ蒸気を連通管１２から排気口１３を介して排気通路１４、蒸気口５から大気へ排出する吸排気手段を備えたことにより、出湯時に発生する蒸気が操作部１９まで上昇する前に吸気し、操作部１９から離れた所から排気させる。これにより、出湯時に発生する蒸気が出湯スイッチ１０を操作する手に当たりにくくなり、出湯時の蒸気による不快感をなくすことができる。【選択図】図１
2005152011.tif 000002
【特許請求の範囲】
【請求項１】
出湯操作する出湯スイッチと、この出湯スイッチ操作により出湯される出湯口とを有するとともに、出湯口からの出湯時の蒸気を吸気して出湯スイッチから離れた所から排気する吸排気手段を備えた電気湯沸し器。
【請求項２】
吸排気手段は、出湯口近傍の電気湯沸し本体に設けた吸気口と、電気湯沸し本体の蓋体に設けた排気口と、前記吸気口と前記排気口を連通する連通管と、前記連通管内に設置した吸気ファンとを備え、前記吸気ファンにより前記吸気口から吸い込んだ蒸気を前記排気口に送るようにした請求項１に記載の電気湯沸し器。
【請求項３】
出湯スイッチのロックを解除するロック解除スイッチを備え、ロック解除スイッチに連動して吸排気手段を動作させるようにした請求項１または２に記載の電気湯沸し器。
【請求項４】
吸排気手段は、出湯による水流により回転する水車より動力を得るようにした請求項１または２に記載の電気湯沸し器。
【請求項５】
出湯操作する出湯スイッチと、この出湯スイッチ操作により出湯される出湯口とを有するとともに、出湯口からの出湯時の蒸気をエアーカーテンにより出湯スイッチ側と遮断する空気排出手段を備えた電気湯沸し器。
【発明の詳細な説明】
【技術分野】
【０００１】
本発明は出湯スイッチの操作により出湯を行う電気湯沸し器に関するものである。
【背景技術】
【０００２】
従来、この種の電気湯沸し器としては、湯沸し器上部の操作部に出湯スイッチを配置し、前記操作部の直下に出湯口を位置させたものが知られている（例えば、特許文献１参照）。そして、この電気湯沸し器は、使用者が出湯スイッチを押すと、湯は出湯口から外部に出湯されるようになっている。
【特許文献１】特開平８−１０１６４号公報
【発明の開示】
【発明が解決しようとする課題】
【０００３】
しかしながら、前記従来の構成では、出湯スイッチが配置されている操作部が湯が出湯される出湯口の上部に位置しているため、出湯スイッチを押して出湯口から湯を出すと、発生する蒸気が上昇し出湯スイッチを押す手に当たることになる。出湯する量がカップ１杯程度であれば発生する蒸気の量は僅かであり、手に蒸気が当たっても熱いと感じることはないが、調理用途として一度に多量の湯を鍋に出湯させる場合などは、多量の蒸気が発生するため、手に当たる蒸気も多くなり、手が熱くなるため非常に不快に感じる。
【０００４】
本発明は、前記従来の課題を解決するもので、発生する蒸気が出湯スイッチを操作する手に当たりにくくして、出湯時の蒸気による不快感を解消させた電気湯沸し器の提供を目的とする。
【課題を解決するための手段】
【０００５】
前記従来の課題を解決するために、本発明の電気湯沸かし器は、湯を出湯する時に発生する蒸気を吸気して出湯スイッチから離れた所から排気する吸排気手段を備えたものである。
【０００６】
これにより、出湯時に発生する蒸気を、吸気して出湯スイッチから離れた所から排気させることができ、発生する蒸気が出湯スイッチを操作する手に当たりにくくなり、出湯時の蒸気による不快感をなくすことができる。
【発明の効果】
【０００７】
本発明の電気湯沸し器は、出湯時に発生する蒸気が出湯スイッチを操作する手に当たりにくくなり、出湯時の蒸気による不快感を解消させることができる。
【発明を実施するための最良の形態】
【０００８】
第１の発明は、出湯操作する出湯スイッチと、この出湯スイッチ操作により出湯される出湯口とを有するとともに、出湯口からの出湯時の蒸気を吸気して出湯スイッチから離れた所から排気する吸排気手段を備えた電気湯沸し器とすることにより、出湯時に発生する蒸気を、吸気して出湯スイッチから離れた所から排気させることができ、発生する蒸気が出湯スイッチを操作する手に当たりにくくなり、出湯時の蒸気による不快感をなくすことができる。
【０００９】
第２の発明は、特に、第１の発明において、吸排気手段は、出湯口近傍の電気湯沸し本体に設けた吸気口と、電気湯沸し本体の蓋体に設けた排気口と、前記吸気口と前記排気口を連通する連通管と、前記連通管内に設置した吸気ファンとを備え、前記吸気ファンにより前記吸気口から吸い込んだ蒸気を前記排気口に送るようにしたことにより、吸気ファンにより出湯直後の蒸気を吸気することができるため効率がよく、また、蓋体に排気するため連通管が最短に構成できる。また、蓋体から大気への排気は、既存の蒸気通路を使用することができるため構成が簡素化できる。
【００１０】
第３の発明は、特に、第１または第２の発明において、出湯スイッチのロックを解除するロック解除スイッチを備え、ロック解除スイッチに連動して吸排気手段を動作させるようにしたことにより、自動的に吸排気手段の動作と停止が行え、吸気ファンのための専用のスイッチが不要となり、また、わずらわしい操作を行わなくてもよくなる。
【００１１】
第４の発明は、特に、第１または第２の発明において、吸排気手段は、出湯による水流により回転する水車より動力を得るようにしたことにより、モータなどの吸排気手段専用の動力が不要となるため、電力消費なしで、かつ、必要なタイミングで吸排気手段を動作させることができる。
【００１２】
第５の発明は、出湯操作する出湯スイッチと、この出湯スイッチ操作により出湯される出湯口とを有するとともに、出湯口からの出湯時の蒸気をエアーカーテンにより出湯スイッチ側と遮断する空気排出手段を備えた電気湯沸し器とすることにより、出湯時に発生する蒸気をエアーカーテンにより出湯スイッチ側と遮断でき、発生する蒸気が出湯スイッチを操作する手に当たりにくくなり、出湯時の蒸気による不快感をなくすことができる。
【００１３】
以下，本発明の実施の形態について、図面を参照しながら説明する。なお、この実施の形態によって本発明が限定されるものではない。
【００１４】
（実施の形態１）
図１〜図３は、本発明の実施の形態１における電気湯沸し器を示したものである。
【００１５】
図１、図２において、電気湯沸し本体１は電気湯沸し器の外郭を構成し、容器２は収容した水を沸かして保温するものである。電気湯沸し本体１の蓋体３は、容器２の開口部を覆っている。湯沸し時または保温時に容器２から発生する蒸気は、蓋体３の蒸気通路４を通り、蒸気口５より大気へ排出される。出湯ポンプ６はモータにより駆動されており、容器２内の湯を出湯管７ａ、７ｂに送り、出湯口８から外部へ出湯させる。
【００１６】
吸気口９は電気湯沸し本体１の出湯口８近傍でその下方位置に開口して設けてある。そして、吸気口９内に塵や異物が侵入しないようにフィルター１０を取り付けている。吸気ファン１１は、かご型のファンであり、吸気口９から吸い込んだ蒸気を連通管１２に送り排気口１３から排気させるようになっている。蓋体３には蒸気通路４に連結する排気通路１４が設けてあり、蓋体３を閉じた状態で連通管１２と排気通路１４は連通するようになっている。これら吸気口９、吸気ファン１１、連通管１２、排気口１３、排気通路１４および蒸気口５などは、出湯口８からの出湯時の蒸気を吸気して排気する吸排気手段を構成しているものである。
【００１７】
図３は、吸排気手段の主要部の構成を示している。図３において、回転板１５ａはＮ極−Ｓ極−Ｎ極−Ｓ極の４極に着磁された永久磁石を樹脂にてモールドしたものである。この回転板１５ａはシャフト１６により吸気ファン１１と固定されており、軸受け１７により回転可能に取り付けられている。回転板１５ｂは回転板１５ａと同じ部品であり、モータ１８の回転軸に固定されている。回転板１５ａと回転板１５ｂは連通管１２を構成する壁面を介して磁気結合しているため、モータ１８の回転に同期して吸気ファン１１が回転するようになっている。
【００１８】
また、電気湯沸し本体１の上部には操作部１９があり、この上面に出湯ポンプ６を駆動して出湯操作する出湯スイッチ２１と、出湯スイッチ２１のロックを解除するロック解除スイッチ２０を備えている。前記出湯口８は、操作部１９、すなわち出湯スイッチ２１の直下に位置しているものである。
【００１９】
以上のように構成された電気湯沸し器について、以下その動作、作用を説明する。
【００２０】
まず、使用者が操作部１９に配置されたロック解除スイッチ２０を押すと、その信号はマイクロコンピュータ等の制御手段に入力される。制御手段は出湯スイッチ２１のロックを解除すると同時にモータ１８を駆動する。モータ１８の駆動により回転板１５ｂが回転すると磁気結合された回転板１５ａが回転し吸気ファン１１も回転することとなる。吸気ファン１１が回転すると吸気口９から吸い込んだ空気は連通管１２を通り排気口１３から排気通路１４を通り、容器２から発生する蒸気とともに蒸気口５より大気へ排出される。
【００２１】
次に、使用者が出湯スイッチ２１を押すと、制御手段は出湯ポンプ６を駆動し容器２の湯は出湯管７ａ、７ｂを通り出湯口８から出湯される。出湯された湯から発生した蒸気は吸気口９から吸気され連通管１２、排気口１３、排気通路１４、蒸気通路４を通り蒸気口５から外気へ排出される。なお、蒸気口５は、出湯スイッチ２１から離れた箇所に位置しており、ここから排出される蒸気が出湯スイッチ２１を操作する手に当たりにくくなるよう配慮されている。
【００２２】
以上のように、本実施例の形態においては、吸気ファン１１により吸気口９から吸い込んだ蒸気を、連通管１２から排気口１３を介して排気通路１４、蒸気口５から大気へ排出することにより、出湯時に発生する蒸気が操作部１９まで上昇する前に吸気し、操作部１９から離れた所から排気させることができるため、出湯時の蒸気による不快感を解消させることができる。
【００２３】
また、出湯口８近傍の電気湯沸し本体１に吸気口９を設置したことにより、吸気ファン１１により出湯直後の蒸気を吸気することができるため効率がよく、また蓋体３に排気するため連通管１２が最短に構成できる。また、蓋体３から大気への排気は既存の蒸気通路１４を使用するため、構成が簡素化できる。
【００２４】
また、ロック解除スイッチ２０に連動して吸気ファン１１を動作するようにしたことにより、ロック解除スイッチ１１を操作すると自動的に吸気ファン１１が動作し、出湯のロックが掛かると自動的に吸気ファン１１が停止することになるため、吸気ファン１１を動作させるための専用のスイッチが不要となり、またわずらわしい操作を行わなくてもよいため利便性がよくなる。
【００２５】
また、本実施の形態では、吸気口９から蒸気を吸気する構成としたが、逆に、空気排出手段を備え、吸気口９と同様の場所から空気を排気する構成とした場合は、排気空気がエアーカーテンの役目を果して出湯スイッチ２１側と遮断するため、吹き出し方向を身体に直接当たらず、しかもエアーカーテンが効果的に作用するように調整すれば、蒸気の上昇を抑えることができ、上記実施の形態と同様の効果が得られる。
【００２６】
（実施の形態２）
図４は、本発明の実施の形態２における電気湯沸し器を示すものである。具体的には、その吸排気手段の動力部分の具体構成を示している。実施の形態１と同一要素については同一符号を付して説明は省略する。
【００２７】
本実施の形態においては、出湯管７ｂ内に位置し出湯による水流により回転する水車２２と、４極に着磁された回転リング２３とは中心軸をシャフト２４にて連結固定されており、シャフト２４は回転可能なように出湯管７ｂの内壁に保持されている。回転リング２３と回転板１５ａは出湯管７ｂの壁を介して磁気結合している。
【００２８】
以上のように構成された電気湯沸し器について、以下その動作、作用を説明する。
【００２９】
まず、出湯スイッチ２１を押して出湯ポンプ６を駆動すると、容器２内の湯は出湯管７ａを通り、出湯管７ｂを通過する時に水車２２の羽根を押しながら出湯口８から出湯される。継続して出湯されることにより、水車２２は連続回転する。
【００３０】
水車２２の回転方向は、出湯管７ｂの流路に対してシャフト２４を偏芯させることにより一定方向に決定されている。水車２２が回転すると連結固定された回転リング２３も回転し、回転リング２３の回転により磁気結合された回転板１５ａも回転することとなる。前述実施の形態１と同様に、回転板１５ａの回転により吸気ファン１１が回転する。
【００３１】
以上のように、本実施の形態においては、湯を出湯する出湯管７ｂ内に設置した水車２２と、水車２２に連結固定した回転リング２３と、回転リング２３と回転軸方向が一致するよう磁気結合させた回転板１５ａを備え、吸気ファン１１を回転板１５ａに固定する構成とし、湯を出湯する時の出湯管７ｂ内の水流により水車２２を回転させることで吸気ファン１１の動力を得るようにしたことにより、モータなどの吸気ファン１１専用の動力が不要となるため、電力消費なしで必要なタイミングで吸気ファン１１を動作させることができる。
【００３２】
また、本実施の形態の回転板１５ａを、図５に示すように、回転板１５ｃとし、吸気ファン１１の動力伝達方法をベルト２５でつなぐようにすれば、収納スペースの制約で回転板１５ｃと吸気ファン１１の回転軸を一致させることが困難な場合においても省スペース化が可能となる。また、ベルト２５を掛ける軸の径を、吸気ファン１１側が大きくなるようにすると、出湯水流が少なく水車２２の回転数が低い場合でも、吸気ファン１１の高速回転が得られるので、吸気効率を向上させることができるようになる。なお、ベルト２５の代わりに歯車により動力伝達させても同様の効果が得られる。
【産業上の利用可能性】
【００３３】
以上のように、本発明にかかる電気湯沸し器は、出湯時の蒸気による不快感を解消させることができるため、給湯器やコーヒーメーカー等の用途にも適用できる。
【図面の簡単な説明】
【００３４】
【図１】本発明の実施の形態１における電気湯沸し器の断面図
【図２】同電気湯沸し器の斜視図
【図３】図１のＡ−Ａ線による吸気ファン部の断面図
【図４】本発明の実施の形態２における電気湯沸し器の要部断面図
【図５】同電気湯沸し器の他の構成を示す要部断面図
【符号の説明】
【００３５】
１  電気湯沸し本体
３  蓋体
５  蒸気口
８  出湯口
９  吸気口
１１  吸気ファン（吸排気手段）
１２  連通管
１３  排気口
１８  モータ
１９  操作部
２０  ロック解除スイッチ
２１  出湯スイッチ
２２  水車
【図１】
2005152011.tif 000003
【図２】
2005152011.tif 000004
【図３】
2005152011.tif 000005
【図４】
2005152011.tif 000006
【図５】
2005152011.tif 000007